(57)【要約】【課題】アングルファインダーやそれを装着するカメラの取付機構の破損を防止することができるようにする。【解決手段】捻りばね２１は、固定爪２２を光軸に向かう方向に付勢するとともに、その付勢力より強い力が固定爪２２から加えられた場合、固定爪２２を光軸から離す方向に徐々に移動させる機能を有する。外力＃１，＃２，＃３がそれぞれアングルファインダー１に加えられた場合、固定部材１１に押されることによって、固定爪２２の光軸から離れる方向に向かう力が、捻りばね２１による光軸方向の付勢力を上まり、固定爪２２が、アングルファインダー１の内壁方向に待避する。固定爪２２と固定部材１１の係合が解除されたとき、アングルファインダー１とカメラ３が分離する。本発明は、カメラに装着されるアングルファインダーに適用することができる。【選択図】図２
2005208341.tif 000002
【特許請求の範囲】
【請求項１】
カメラの接眼部に着脱可能なアングルファインダーにおいて、
前記接眼部の側面に形成される取付溝と係合し、前記アングルファインダー本体を前記接眼部に固定させる固定爪と、
前記接眼部の光軸に向かう方向に前記固定爪を付勢するとともに、付勢する力より強い力が前記固定爪から加えられた場合、加えられた力に応じて、前記光軸から離す方向に前記固定爪を移動させる付勢手段と
を備え、
前記取付溝と係合する前記固定爪の部分には斜面が形成される
ことを特徴とするアングルファインダー。
【請求項２】
前記付勢手段は、捻りばねまたは板ばねである
ことを特徴とする請求項１に記載のアングルファインダー。
【請求項３】
前記カメラと締結される紐を取り付ける取付手段をさらに備える
ことを特徴とする請求項１に記載のアングルファインダー。
【発明の詳細な説明】
【技術分野】
【０００１】
本発明は、アングルファインダーに関し、特に、アングルファインダーやそれを装着するカメラに設けられる取付機構の破損を防止することができるようにするアングルファインダーに関する。
【背景技術】
【０００２】
従来より、カメラの接眼部に取り付けるアクセサリとしてアングルファインダーが各種提供されている。
【０００３】
アングルファインダーは、カメラの接眼部から撮影者の方に向かう光（ファインダーから覗くことができる被写体の光）の光路をほぼ９０度上方に曲げることにより、ローアングルなどの特殊な撮影姿勢の際に、視認性を向上させるためや、より自然な姿勢での撮影を可能にするために用いられるものである。
【０００４】
アングルファインダーを含む各種のファインダーをカメラに取り付ける機構として、角形の接眼部の両サイドに取付溝を設け、この溝と、ファインダー側の突起部を嵌合させるものがある（例えば、特許文献１，２）。
【特許文献１】特開２００１−６６６９０号公報
【特許文献２】特開２００１−２２２０４３号公報
【発明の開示】
【発明が解決しようとする課題】
【０００５】
ところで、アングルファインダーは、それ自体の大きさが比較的大きく、装着したときにはカメラ本体から大きく突出したものになる。また、複数のレンズを内蔵することなどから、その重量も、接眼部に取付可能な他のアクセサリ類と比較して重い。
【０００６】
従って、比較的重量のあるものが接眼部の取付溝という小さな部材に装着されていることから、何かの拍子でアングルファインダーに外部から力が加えられた場合、非常に大きな力が取付機構の小さな部材に集中的に加わり、カメラの接眼部に設けられる取付機構や、アングルファインダーの取付機構が破損してしまうことがあるという課題があった。まして、アングルファインダーがカメラの本体から突出して装着されていることから、そのような力を撮影者自身が誤って加えてしまうことも多い。
【０００７】
本発明はこのような状況に鑑みてなされたものであり、アングルファインダーやそれを装着するカメラの取付機構の破損を防止することができるようにするものである。
【課題を解決するための手段】
【０００８】
本発明のアングルファインダーは、接眼部の側面に形成される取付溝と係合し、アングルファインダー本体を接眼部に固定させる固定爪と、接眼部の光軸に向かう方向に固定爪を付勢するとともに、付勢する力より強い力が固定爪から加えられた場合、加えられた力に応じて、光軸から離す方向に固定爪を移動させる付勢手段とを備え、取付溝と係合する固定爪の部分には斜面が形成されることを特徴とする。
【０００９】
付勢手段は、捻りばねまたは板ばねであるようにすることができる。
【００１０】
本発明のアングルファインダー１は、カメラと締結される紐を取り付ける取付手段をさらに備えるようにすることができる。
【００１１】
本発明のアングルファインダーにおいては、接眼部の側面に形成される取付溝と係合することで、固定爪によりアングルファインダー本体が接眼部に固定される。また、接眼部の光軸に向かう方向に固定爪が付勢され、付勢される力より強い力が固定爪から加えられた場合、加えられた力に応じて、光軸から離す方向に固定爪が移動される。さらに、この固定爪の、取付溝と係合する部分には斜面が形成される。
【発明の効果】
【００１２】
本発明によれば、アングルファインダーやそれを装着するカメラに設けられる取付機構の破損を防止することができる。
【００１３】
また、本発明によれば、アングルファインダーの落下を防止することができる。
【発明を実施するための最良の形態】
【００１４】
以下に本発明の実施の形態を説明するが、本明細書に記載の発明と、発明の実施の形態との対応関係を例示すると、次のようになる。この記載は、請求項に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００１５】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により追加される発明の存在を否定するものではない。
【００１６】
本発明によれば、アングルファインダーが提供される。このアングルファインダー（例えば、図１のアングルファインダー１）は、カメラ（例えば、図１のカメラ３）の接眼部（例えば、図２の接眼部４）に着脱可能なアングルファインダーであって、前記接眼部の側面に形成される取付溝（例えば、図２の取付溝１２）と係合し、前記アングルファインダー本体を前記接眼部に固定させる固定爪（例えば、図２の固定爪２２）と、前記接眼部の光軸に向かう方向に前記固定爪を付勢するとともに、付勢する力より強い力が前記固定爪から加えられた場合、加えられた力に応じて、前記光軸から離す方向に前記固定爪を移動させる付勢手段（例えば、図２の捻りばね２１）とを備え、前記取付溝と係合する前記固定爪の部分には斜面（例えば、図２の斜面２２Ｂ）が形成されることを特徴とする。
【００１７】
前記付勢手段は、捻りばね（図２の捻りばね２１）または板ばね（図３の板ばね３１）であるようにすることができる。
【００１８】
本発明のアングルファインダー１は、前記カメラと締結される紐（例えば、図４の紐５１）を取り付ける取付手段（例えば、図４の取付部材１Ｂ）をさらに備えるようにすることができる。
【００１９】
以下、本発明の実施の形態について図を参照して説明する。
【００２０】
図１は、本発明を適用したアングルファインダー１と、アングルファインダー１を装着した一眼レフカメラであるカメラ３の側面図である。
【００２１】
図１に示されるように、アングルファインダー１は、カメラ３の本体に形成される接眼部４に装着される。
【００２２】
撮影者は、アングルファインダー１の上端の接眼窓２に接眼し、例えば、ローアングルでの撮影を行う。すなわち、接眼部４から外部に向かう光は、アングルファインダー１の内部に設けられるミラーもしくはプリズム（図示せず）で、その光路が上方に向けられる。
【００２３】
図２は、図１のＡ−Ａ線の断面図であり、カメラ３の接眼部４と、アングルファインダー１に形成される取付機構の例を拡大して示す。
【００２４】
なお、図２において、Ｂ−Ｂ線を挟んで上側と下側は対称である。同じ機能を有する対応する部材には同じ符号を付してある。このＢ−Ｂ線は、アングルファインダー１に設けられるレンズ２３の光軸を表す。
【００２５】
接眼部４は、カメラ３の本体背面から若干突出しており、その突出した部分の側面には取付溝１２が形成され、先端には固定部材１１が形成される。アングルファインダー１が装着されたとき、図２に示されるように、この固定部材１１に対して、捻りばね２１により光軸に向かう方向（Ｂ−Ｂ線に向かう方向）に付勢されたアングルファインダー１の固定爪２２の圧接面２２Ａが圧接した状態になる。
【００２６】
アングルファインダー１側の部材である捻りばね２１は、その中心の空洞部分に固定爪２２が挿入される形で設けられる。図２に示されるように、捻りばね２１は、固定爪２２の一部と内接している。
【００２７】
捻りばね２１は、両端（捻りを解いたときに現れる一本の棒状の金属の両端）近傍が、固定爪２２に接することなく、アングルファインダー１の内壁方向に立てられており、その立てられた部分がアングルファインダー１と接している。すなわち、捻りばね２１の両端近傍の部材がアングルファインダー１の内壁を付勢するその反発力で、光軸に向かう方向の力が固定爪２２に加えられる。
【００２８】
固定爪２２の圧接面２２Ａより先端側（図１の左側）には、その垂線がアングルファインダー１の内部方向に向かう斜面２２Ｂが形成されている。
【００２９】
このように、アングルファインダー１の部材である固定爪２２と、カメラ３の部材である固定部材１１が係合することによって（固定部材１１と固定爪２２が噛み合うことによって）、アングルファインダー１が接眼部４に装着される。
【００３０】
アングルファインダー１が接眼部４に固定されている状態で、例えば、白抜き矢印でその方向が示される外力＃１，＃２，＃３がそれぞれアングルファインダー１に加えられた場合、固定部材１１により押されることによって、固定爪２２のアングルファインダー１の内壁方向（光軸から離れる方向）に向かう力が、捻りばね２１による光軸に向かう方向の付勢力を上まり、固定爪２２が、図２の状態からアングルファインダー１の内壁方向に待避する（図２の上側の固定爪２２が上方向に移動し、下側の固定爪２２が下方向に移動する）。
【００３１】
すなわち、捻りばね２１は、固定爪２２を光軸に向かう方向に付勢するとともに、その付勢力より強い力が固定爪２２から加えられた場合、固定爪２２を光軸から離す方向に徐々に移動させる機能を有する。
【００３２】
固定爪２２が十分待避することによって固定爪２２が固定部材１１を越えたとき、固定爪２２と固定部材１１の係合が解除され、アングルファインダー１がカメラ３から分離する。
【００３３】
ここで、外力＃１，＃２，＃３のそれぞれが加えられた場合の各部材の動作について説明する。
【００３４】
カメラ３から光軸方向に取り外そうとする力である外力＃１がアングルファインダー１に加えられた場合、その外力＃１に伴い、固定爪２２の斜面２２Ｂ上を固定部材１１が滑り、固定部材１１が斜面２２Ｂを押す力によって、図２の上側と下側の固定爪２２のそれぞれが光軸から離れる方向に待避する。固定爪２２の斜面２２Ｂ上を固定部材１１が滑り終えたとき（固定爪２２の斜面２２Ｂと固定部材１１が接しなくなったとき）、アングルファインダー１とカメラ３が分離する。
【００３５】
また、図２の左上方向に捻るようにカメラ３から取り外そうとする力である外力＃２がアングルファインダー１に加えられた場合、その外力＃２に伴い、主に、下側の固定爪２２の斜面２２Ｂ上を固定部材１１が滑り、固定部材１１が斜面２２Ｂを押す力によって、下側の固定爪２２が光軸から離れる方向に待避する。上側の固定爪２２も、外力＃２が加えられることに伴い、若干、光軸から離れる方向に待避する。下側の固定爪２２の斜面２２Ｂ上を固定部材１１が滑り終えたとき、アングルファインダー１とカメラ３が分離する。
【００３６】
さらに、図２の左下方向に捻るようにカメラ３から取り外そうとする力である外力＃３がアングルファインダー１に加えられた場合、その外力＃３に伴い、主に、上側の固定爪２２の斜面２２Ｂ上を固定部材１１が滑り、固定部材１１が斜面２２Ｂを押す力によって、上側の固定爪２２が光軸から離れる方向に待避する。下側の固定爪２２も、外力＃３が加えられることに伴い、若干、光軸から離れる方向に待避する。上側の固定爪２２の斜面２２Ｂ上を固定部材１１が滑り終えたとき、アングルファインダー１とカメラ３が分離する。
【００３７】
このように、固定爪２２には斜面２２Ｂが形成され、また、捻りばね２１は弾性を有していることから、外部から力が加えられた場合でも、固定部材１１が斜面２２Ｂ上を滑ることになり、固定部材１１と固定爪２２に過重な力がかかるのを防止することができる。すなわち、予期せぬ外力がアングルファインダー１に加えられた場合でも、接眼部４の固定部材１１や、アングルファインダー１の固定爪２２が破損する前にカメラ３とアングルファインダー１を分離させることができる。
【００３８】
図３は、図１のＡ−Ａ線の断面図であり、カメラ３の接眼部４と、アングルファインダー１に形成される取付機構の他の例を拡大して示す。
【００３９】
なお、図３において、図２と同じ部材、および、同じ機能を有する部材（板ばね３１を除く）には同一の符号を付してある。重複する説明については適宜省略する。
【００４０】
図２においては、固定爪２２を光軸に向かう方向に付勢する部材として捻りばね２１を用いたが、図３においては板ばね３１が用いられている。
【００４１】
この板ばね３１は、一方がアングルファインダー１の内部に形成される溝１Ａに挿入され、固定される。また、板ばね３１の他方は、その断面が湾曲して形成されており、湾曲して形成される湾曲部３１が固定爪２２を光軸に向かう方向に付勢することで、固定爪２２と固定部材１１を係合させ、アングルファインダー１をカメラ３に装着させている。
【００４２】
このような状態でアングルファインダー１に外力が加えられた場合、その外力に伴い、固定爪２２の斜面２２Ｂ上を固定部材１１が滑り、固定部材１１が斜面２２Ｂを押すことで、光軸から離れる方向に固定爪２２が待避する。固定爪２２の斜面２２Ｂ上を固定部材１１が滑り終えたとき、アングルファインダー１とカメラ３が分離する。
【００４３】
このように、板ばね３１を用いて固定爪２２を光軸に向かう方向に付勢することによっても、上述した捻りばね２１の場合と同様に、予期せぬ外力がアングルファインダー１に加えられたときでも、カメラ３とアングルファインダー１の取付機構が破損する前に両者を分離させることができる。
【００４４】
上述した捻りばね２１や板ばね３１のように、固定爪２２を光軸に向かう方向に付勢し、外力が加えられたときには、固定爪２２を光軸から離れる方向に待避させることができるものであれば、どのような部材により固定爪２２が付勢される（光軸から離れる方向の待避が行われる）ようにしてもよい。例えば、硬質のゴムなどの弾性を有する部材により固定爪２２が付勢されるようにしてもよい。
【００４５】
また、アングルファインダー１とカメラ３が分離した際に、アングルファインダー１が地面に落下し、破損するのを防止するために、図４に示されるように、カメラ３とアングルファインダー１が落下防止用の紐５１で結ばれるようにしてもよい。
【００４６】
図４においては、紐５１の一方はカメラ３に取り付けられたストラップ４１に締結され、他方は、アングルファインダー１の表面に形成された取付部材１Ｂに締結されている。これにより、アングルファインダー１とカメラ３が分離した場合でも、アングルファインダー１が地面に落下するのを防止することができる。
【００４７】
なお、紐５１の長さは、アングルファインダー１の着脱などの通常の操作に支障のないように利用者自身が調整できるようになされている。
【００４８】
また、以上においては、アングルファインダー１自体の構成として、捻りばね２１や固定爪２２などが設けられるとしたが、例えば、アングルファインダー１を接眼部４に装着するために専用のアダプタが必要な場合、そのアダプタに、捻りばね２１や固定爪２２などの構成が設けられるようにしてもよい。
【００４９】
さらに、以上においては、捻りばね２１や固定爪２２などが設けられるファインダーがアングルファインダーである場合について説明したが、アングルファインダー以外のファインダーにそれらの構成が設けられるようにしてもよい。
【図面の簡単な説明】
【００５０】
【図１】本発明を適用したアングルファインダーと、アングルファインダーを装着したカメラの側面図である。
【図２】図１のＡ−Ａ線の断面図である。
【図３】図１のＡ−Ａ線の他の断面図である。
【図４】アングルファインダーとカメラが紐で結びつけられている外観を示す斜視図である。
【符号の説明】
【００５１】
１  アングルファインダー
３  カメラ
４  接眼部
１１  固定部材
２１  捻りばね
２２  固定爪
２２Ａ  圧接面
２２Ｂ  斜面
２３  レンズ
３１  板ばね
５２  紐
【図１】
2005208341.tif 000003
【図２】
2005208341.tif 000004
【図３】
2005208341.tif 000005
【図４】
2005208341.tif 000006